【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
ユーザに対する第１の金融機関による融資について該融資に関連した保険に対する前記ユーザの加入を審査する第２の金融機関により運用されるサーバ装置であって、
該サーバ装置により提供されるウェブサイトに接続するためのＵＲＬを送信した前記ユーザにより操作可能な端末装置から、前記第１の金融機関により運用される別のサーバ装置を介することなく前記ウェブサイトを介して、該ユーザの傷病及び／又は障害に関する情報を含む該ユーザに関するユーザ情報を受信する受信手段と、
複数の条件の各々に対応付けて判定結果を記憶して該複数の条件のうち前記ユーザ情報が満たす条件に対応する判定結果を出力する処理を用いて、前記ユーザが前記保険に加入することができるか否かに関する自動査定をコンピュータにより自動的に実行する査定手段と、
前記ユーザについて前記自動査定が前記査定手段により実行された場合には、前記ユーザについて前記自動査定が実行された旨を示す情報を、該自動査定を特定する情報とともに、前記ユーザについて前記自動査定が前記査定手段により実行されなかった場合には、前記ユーザについて後方査定が実行された旨を示す情報を、該後方査定を特定する情報とともに、前記第１の金融機関により運用される端末装置に送信する送信手段と、
を具備することを特徴とするサーバ装置。
【請求項２】
当該サーバ装置は、前記査定手段により実行された新たな自動査定が存在するか否かについて所定の周期ごとに判定し、
前記ユーザについて前記査定手段により実行された前記自動査定は、当該サーバ装置により前記新たな自動査定として判定されたものである、請求項１に記載のサーバ装置。
【請求項３】
前記自動査定を特定する情報が、前記ユーザの認証コード、受付番号又は氏名である、請求項１又は請求項２に記載のサーバ装置。
【請求項４】
前記第１の金融機関により運用される端末装置から受信した所定ユーザについての自動査定の結果を要求する信号に応答して、前記所定ユーザについての自動査定の結果を前記第１の金融機関により運用される前記端末装置に送信する、請求項１から請求項３のいずれかに記載のサーバ装置。
【請求項５】
当該サーバ装置は、実行された新たな後方査定が存在するか否かについて所定の周期ごとに判定し、
前記ユーザについて実行された前記後方査定は、当該サーバ装置により前記新たな後方査定として判定されたものである、請求項１から請求項４のいずれかに記載のサーバ装置。
【請求項６】
前記後方査定を特定する情報が、前記ユーザの認証コード、受付番号又は氏名である、請求項１から請求項５のいずれかに記載のサーバ装置。
【請求項７】
前記第１の金融機関により運用される端末装置から受信した要求に応答して、後方査定がなされた案件の一覧を前記第１の金融機関により運用される前記端末装置に送信する、請求項１から請求項６のいずれかに記載のサーバ装置。
【請求項８】
前記第１の金融機関により運用される端末装置から受信した所定ユーザについての後方査定の結果を要求する信号に応答して、前記所定ユーザについての後方査定の結果を前記第１の金融機関により運用される前記端末装置に送信する、請求項１から請求項７のいずれかに記載のサーバ装置。
【請求項９】
前記ＵＲＬは、前記第１の金融機関により運用されるサーバ装置により提供されるウェブサイトに記載されたものである、請求項１から請求項８のいずれかに記載のサーバ装置。
【請求項１０】
前記査定手段は、前記ユーザから受信した認証コードが記憶部に記憶された認証コードテーブルに含まれている場合にのみ、前記ユーザについて自動査定を実行する、請求項１から請求項９のいずれかに記載のサーバ装置。
【請求項１１】
前記認証コードは、前記第１の金融機関において配布された案内状に記載されたものである、請求項１０に記載のサーバ装置。
【請求項１２】
前記第１の金融機関により運用される前記端末装置に対して通信網を介して接続され、
前記通信網がインターネットを含む、請求項１から請求項１１のいずれかに記載のサーバ装置。
【請求項１３】
ユーザに対する第１の金融機関による融資について該融資に関連した保険に対する前記ユーザの加入を審査する第２の金融機関により運用されるサーバ装置により実行される方法であって、
該サーバ装置により提供されるウェブサイトに接続するためのＵＲＬを送信した前記ユーザにより操作可能な端末装置から、前記第１の金融機関により運用される別のサーバ装置を介することなく前記ウェブサイトを介して、該ユーザの傷病及び／又は障害に関する情報を含む該ユーザに関するユーザ情報を受信する受信段階と、
複数の条件の各々に対応付けて判定結果を記憶して該複数の条件のうち前記ユーザ情報が満たす条件に対応する判定結果を出力する処理を用いて、前記ユーザが前記保険に加入することができるか否かに関する自動査定をコンピュータにより自動的に実行する査定段階と、
前記ユーザについて前記自動査定が前記査定段階において実行された場合には、前記ユーザについて前記自動査定が実行された旨を示す情報を、該自動査定を特定する情報とともに、前記ユーザについて前記自動査定が前記査定段階において実行されなかった場合には、前記ユーザについて後方査定が実行された旨を示す情報を、該後方査定を特定する情報とともに、前記第１の金融機関により運用される端末装置に送信する送信段階と、
を含むことを特徴とする方法。
【請求項１４】
前記サーバ装置が前記第１の金融機関により運用される前記端末装置に対して通信網を介して接続され、
前記通信網がインターネットを含む、請求項１３に記載の方法。
【請求項１５】
前記自動査定を特定する情報又は前記後方査定を特定する情報が、前記ユーザの認証コード、受付番号又は氏名である、請求項１３又は請求項１４に記載の方法。
【請求項１６】
コンピュータを、
ユーザに対する第１の金融機関による融資について該融資に関連した保険に対する前記ユーザの加入を審査する第２の金融機関により運用されるサーバ装置に含まれた、
該サーバ装置により提供されるウェブサイトに接続するためのＵＲＬを送信した前記ユーザにより操作可能な端末装置から、前記第１の金融機関により運用される別のサーバ装置を介することなく前記ウェブサイトを介して、該ユーザの傷病及び／又は障害に関する情報を含む該ユーザに関するユーザ情報を受信する受信手段、
複数の条件の各々に対応付けて判定結果を記憶して該複数の条件のうち前記ユーザ情報が満たす条件に対応する判定結果を出力する処理を用いて、前記ユーザが前記保険に加入することができるか否かに関する自動査定をコンピュータにより自動的に実行する査定手段、及び、
前記ユーザについて前記自動査定が前記査定手段により実行された場合には、前記ユーザについて前記自動査定が実行された旨を示す情報を、該自動査定を特定する情報とともに、前記ユーザについて前記自動査定が前記査定手段により実行されなかった場合には、前記ユーザについて後方査定が実行された旨を示す情報を、該後方査定を特定する情報とともに、前記第１の金融機関により運用される端末装置に送信する送信手段、
として機能させることを特徴とするコンピュータプログラム。
【請求項１７】
前記サーバ装置が前記第１の金融機関により運用される前記端末装置に対して通信網を介して接続され、
前記通信網がインターネットを含む、請求項１６に記載のコンピュータプログラム。
【請求項１８】
前記自動査定を特定する情報又は前記後方査定を特定する情報が、前記ユーザの認証コード、受付番号又は氏名である、請求項１６又は請求項１７に記載のコンピュータプログラム。
【請求項１９】
ユーザに対する第１の金融機関による融資について該融資に関連した保険に対する前記ユーザの加入を審査する第２の金融機関により運用されるサーバ装置に対して、通信網を介して接続される前記第１の金融機関により運用される端末装置であって、
前記サーバ装置により提供されるウェブサイトに接続するためのＵＲＬを送信した前記ユーザにより操作可能な端末装置から、前記第１の金融機関により運用される別のサーバ装置を介することなく前記ウェブサイトを介して、該ユーザの傷病及び／又は障害に関する情報を含む該ユーザに関するユーザ情報を受信するように構成され、かつ、複数の条件の各々に対応付けて判定結果を記憶して該複数の条件のうち前記ユーザ情報が満たす条件に対応する判定結果を出力する処理を用いて、前記ユーザが前記保険に加入することができるか否かに関する自動査定をコンピュータにより自動的に実行するように構成された、前記サーバ装置から、
前記ユーザについて前記自動査定が前記サーバ装置により実行された場合には、前記ユーザについて前記自動査定が実行された旨を示す情報を、該自動査定を特定する情報とともに、前記ユーザについて前記自動査定が前記サーバ装置により実行されなかった場合には、前記ユーザについて後方査定が実行された旨を示す情報を、該後方査定を特定する情報とともに、受信する、ことを特徴とする端末装置。
【請求項２０】
前記通信網がインターネットを含む、請求項１９に記載の端末装置。
【請求項２１】
前記自動査定を特定する情報又は前記後方査定を特定する情報が、前記ユーザの認証コード、受付番号又は氏名である、請求項１９又は請求項２０に記載の端末装置。
【請求項２２】
ユーザに対する第１の金融機関による融資について該融資に関連した保険に対する前記ユーザの加入を審査する第２の金融機関により運用されるサーバ装置に対して、通信網を介して接続される前記第１の金融機関により運用される端末装置により実行される方法であって、
前記サーバ装置により提供されるウェブサイトに接続するためのＵＲＬを送信した前記ユーザにより操作可能な端末装置から、前記第１の金融機関により運用される別のサーバ装置を介することなく前記ウェブサイトを介して、該ユーザの傷病及び／又は障害に関する情報を含む該ユーザに関するユーザ情報を受信するように構成され、かつ、複数の条件の各々に対応付けて判定結果を記憶して該複数の条件のうち前記ユーザ情報が満たす条件に対応する判定結果を出力する処理を用いて、前記ユーザが前記保険に加入することができるか否かに関する自動査定をコンピュータにより自動的に実行するように構成された、前記サーバ装置から、
前記第１の金融機関により運用される前記端末装置が、
前記ユーザについて前記自動査定が前記サーバ装置により実行された場合には、前記ユーザについて前記自動査定が実行された旨を示す情報を、該自動査定を特定する情報とともに、前記ユーザについて前記自動査定が前記サーバ装置により実行されなかった場合には、前記ユーザについて後方査定が実行された旨を示す情報を、該後方査定を特定する情報とともに、受信する、ことを特徴とする方法。
【請求項２３】
前記通信網がインターネットを含む、請求項２２に記載の方法。
【請求項２４】
前記自動査定を特定する情報又は前記後方査定を特定する情報が、前記ユーザの認証コード、受付番号又は氏名である、請求項２２又は請求項２３に記載の方法。
【請求項２５】
コンピュータを、
ユーザに対する第１の金融機関による融資について該融資に関連した保険に対する前記ユーザの加入を審査する第２の金融機関により運用されるサーバ装置に対して、通信網を介して接続される前記第１の金融機関により運用される端末装置として、
前記サーバ装置により提供されるウェブサイトに接続するためのＵＲＬを送信した前記ユーザにより操作可能な端末装置から、前記第１の金融機関により運用される別のサーバ装置を介することなく前記ウェブサイトを介して、該ユーザの傷病及び／又は障害に関する情報を含む該ユーザに関するユーザ情報を受信するように構成され、かつ、複数の条件の各々に対応付けて判定結果を記憶して該複数の条件のうち前記ユーザ情報が満たす条件に対応する判定結果を出力する処理を用いて、前記ユーザが前記保険に加入することができるか否かに関する自動査定をコンピュータにより自動的に実行するように構成された、前記サーバ装置から、
前記ユーザについて前記自動査定が前記サーバ装置により実行された場合には、前記ユーザについて前記自動査定が実行された旨を示す情報を、該自動査定を特定する情報とともに、前記ユーザについて前記自動査定が前記サーバ装置により実行されなかった場合には、前記ユーザについて後方査定が実行された旨を示す情報を、該後方査定を特定する情報とともに、受信する、
ように機能させることを特徴とするコンピュータプログラム。
【請求項２６】
前記通信網がインターネットを含む、請求項２５に記載のコンピュータプログラム。